(57)【要約】【課題】使用者が使用形態に応じて記憶領域を容易にカスタマイズできる携帯端末装置を提供すること。【解決手段】表示部と、操作入力部と、記憶部と、各種データに対応して設定した許容値に基いて前記記憶部の記憶領域を各種データに割り振り、また前記表示部に各種データに対応して設定変更可能な許容値の選択肢を表示し、前記操作入力部を用いて選択された選択肢に基いて前記許容値を設定変更する制御部を備えた。【選択図】  図３
2005191742.tif 000002
【特許請求の範囲】
【請求項１】
表示部と、操作入力部と、記憶部と、各種データに対応して設定した許容値に基いて前記記憶部の記憶領域を各種データに割り振り、また前記表示部に各種データに対応して設定変更可能な許容値の選択肢を表示し、前記操作入力部を用いて選択された選択肢に基いて前記許容値を設定変更する制御部を備えたことを特徴とする携帯端末装置。
【請求項２】
前記制御部は、前記記憶部の未使用状況を判定し、各種データに対応して前記設定変更可能な許容値の選択肢を前記未使用状況に基いて決定することを特徴とする請求項１に記載の携帯端末装置。
【請求項３】
前記制御部は、前記操作入力部を用いてデータが選択されると、当該選択されたデータに対応して設定変更可能な許容値の選択肢を表示することを特徴とする請求項１に記載の携帯端末装置。
【請求項４】
前記制御部は、前記操作入力部を用いてデータが選択されると、当該選択されたデータに対応して設定変更可能な許容値の選択肢の表示と、選択されていない他のデータに関し前記選択肢に対応して設定変更される許容値の表示とを行い、前記操作入力部を用いて選択された選択肢に基いて前記許容値をそれぞれ設定変更することを特徴とする請求項１に記載の携帯端末装置。
【請求項５】
前記制御部は、前記設定した許容値と記憶したデータ量とが所定の警告条件を満足する場合、警告を行うことを特徴とする請求項１乃至４に記載の携帯端末装置。
【請求項６】
前記データはデータフォルダおよび／またはデータファイルであることを特徴とする請求項１乃至４に記載の携帯端末装置。
【発明の詳細な説明】
【技術分野】
【０００１】
本発明は、携帯電話機、携帯型パーソナルコンピュータ、ＰＤＡ（Personal  Digital  Assistance）などの携帯端末装置に関するものである。
【背景技術】
【０００２】
携帯型パーソナルコンピュータやＰＤＡ（Personal  Digital  Assistance）には各種のアプリケーションプログラムが搭載されている。携帯電話機においても、通信機能のみでなく、電話帳機能やメール機能等の通信機能に付随する各種のアプリケーションプログラムの搭載は勿論のこと、カメラ機能やゲーム機能等の通信機能には直接関係ない各種のアプリケーションプログラムをも搭載されている。
【０００３】
従来、このような携帯端末装置においては、メモリの記憶許容量には限りがあるため、アプリケーション毎にそれに供されるデータ記憶許容量の上限値が設定されている。例えば、電話帳機能の場合には、データ登録件数を例えば３００件のように、何らかの固定された上限値を設定してある。
【０００４】
例えば特許文献１は、所定の電話帳記憶テーブルを備え、同テーブルに登録するメールアドレスによりメール機能を有する携帯端末装置に関するものである。
【特許文献１】特開２００２−３２００２５号公報
【発明の開示】
【発明が解決しようとする課題】
【０００５】
携帯端末装置は、インターネットへの接続機能が標準的機能になるなどしており、インターネット等のデータベースから例えば画像データのダウンロード、着信メロディーのダウンロードなどのようにデータを新規に登録したり追加登録することが行える。また、バージョンアップしたアプリケーションプログラムのダウンロードや辞書データ等の拡張データのダウンロードなど登録済みのデータの更新登録もインターネット等のデータベースから行える。さらに、使用者が携帯端末装置の操作入力部から直接操作入力することによっても例えば電話帳データへの登録者追加などのように登録済みのデータの更新登録が行える。
【０００６】
そのため、使用者においては、データを新規もしくは追加登録したり、あるいはデータを更新登録するといった登録データを拡充する機会が飛躍的に増えているが、携帯端末装置に備わっているメモリの容量には限りがあるため、例えば電話帳データのＭＡＸの登録件数をさらに増加させたり、あるプログラムデータのバージョンアップを行うために割り振られる記憶領域を増加させたり、使用者が使用形態に応じて記憶領域を容易にカスタマイズできることが望まれる。
【課題を解決するための手段】
【０００７】
上記従来技術における課題を解決するために、本発明は、表示部と、操作入力部と、記憶部と、各種データに対応して設定した許容値に基いて前記記憶部の記憶領域を各種データに割り振り、また前記表示部に各種データに対応して設定変更可能な許容値の選択肢を表示し、前記操作入力部を用いて選択された選択肢に基いて前記許容値を設定変更する制御部を備えた。
【０００８】
また、前記制御部は、前記記憶部の未使用状況を判定し、各種データに対応して前記設定変更可能な許容値の選択肢を前記未使用状況に基いて決定する。
【０００９】
また、前記制御部は、前記操作入力部を用いてデータが選択されると、当該選択されたデータに対応して設定変更可能な許容値の選択肢を表示する。
【００１０】
また、前記制御部は、前記操作入力部を用いてデータが選択されると、当該選択されたデータに対応して設定変更可能な許容値の選択肢の表示と、選択されていない他のデータに関し前記選択肢に対応して設定変更される許容値の表示とを行い、前記操作入力部を用いて選択された選択肢に基いて前記許容値をそれぞれ設定変更する。
【００１１】
また、前記制御部は、前記設定した許容値と記憶したデータ量とが所定の警告条件を満足する場合、警告を行う。
【００１２】
また、前記データはデータフォルダおよび／またはデータファイルである。
【発明の効果】
【００１３】
本発明によれば、携帯端末装置の使用形態に応じて使用者が記憶領域を容易にカスタマイズできるので、記憶領域の有効利用が容易に可能となる。
【発明を実施するための最良の形態】
【００１４】
次に本発明の一実施形態を説明する。図１は、システム構成を説明する図である。携帯電話網においては制御局ＣＳに複数の無線基地局ＢＳが接続し、無線により携帯電話機ＭＳと通信が行われる。一方、携帯電話網に接続しているインターネットにおけるウエブサイト（サーバ）ＷＳに備わるデータベースＤＢには各種データファイル（辞書ファイル、音楽ファイル、画像ファイルなど）及び各種プログラムデータファイルが記憶されている。携帯電話機ＭＳは所定の操作によりＷｅｂブラウザを起動すると無線によりインターネットに接続しウェブサイトＷＳから所望のデータファイルをダウンロードする。
【００１５】
この携帯電話機ＭＳのブロック図を図２に示すように、無線部１、制御部２、フラッシュメモリ等のメモリ３、キー操作部等の操作部４、液晶等の表示部５、スピーカ６、マイク７を備えている。携帯電話機ＭＳは、各種アプリケーションプログラムを搭載しＰＤＡと同等の性能、あるいはパソコンと同等の性能を備える。また、携帯電話機ＭＳは、図示せぬ撮像部を備え、撮影した画像処理ソフト等を搭載してデジタルカメラとしての機能を備えることも可能である。この表示部５をこの携帯電話機ＭＳにおいては、任意の時点でユーザーが操作部４を所定の操作手順で操作して、書替え可能なメモリ３の記憶領域をカスタマイズ可能となっている。
【００１６】
制御部２はメモリ３の各種データごとに許容値に基き許容された記憶領域の使用状況を監視し、使用状況が一定の割合（例えば使用領域９割、未使用領域１割）に達すると表示部５に警告表示を行うようになっている。警告表示がされることでユーザーは記憶領域がいっぱいになる前に記憶領域をカスタマイズする必要性に気付くことができる。
【００１７】
一例として、電話帳データファイルの記憶領域をカスタマイズする場合の、操作メニュー画面の遷移図を図３に示す。まず、（ａ）は初期メニュー画面で、メニュー項目から”カスタマイズ”の位置にカーソルを動かし決定キーを押す（以下、”選択”と記載する）と（ｂ）の画面に遷移する。（ｂ）はカスタマイズメニュー画面で、”電話帳登録件数変更”、”受信メール登録件数変更”、”辞書データ拡張”、”着信メロディー登録件数変更”、”画像データ登録件数変更”、プログラムバージョンアップ”などの各種カスタマイズ項目が表示される。
【００１８】
本例では”電話帳登録件数変更”を選択する。この選択によって（ｃ）の画面に遷移する。（ｃ）は電話帳登録件数変更メニュー画面で、電話帳は記憶領域の許容値を最大登録件数としておりその件数は３００件である。また、現在の登録件数が２７０件であることを表示している。登録１件毎のデータサイズは決まっている。登録件数を多くしたいユーザーはカーソルを変更メニュー項目に動かし、例えば５００件を選択すると電話帳の記憶領域が５００件にカスタマイズされることになる。これは電話帳データファイルのサイズの上限を設定変更する例である。
【００１９】
また、カスタマイズメニュー画面で”受信メール登録件数変更”を選択した場合には図４（ａ）のメニュー画面が表示される。本例はフォルダ形式の受信メールボックスに登録可能な受信メール総件数の上限を設定変更するもので、これは受信メールボックスのフォルダサイズの上限を設定変更する例である。携帯電話機のメール送信1回あたりのデータ量は例えば１００Ｋバイト以内と定まっているので、このような最大のデータ量もしくは1回あたりの平均的なデータ量と受信メールボックスに割り振る記憶領域の許容サイズとに基いて登録件数を制御部２が演算して定める。
【００２０】
また、”着信メロディー登録件数変更”を選択すると図４（ｂ）のメニュー画面が、さらに”画像データ登録件数変更”を選択すると図４（ｃ）のメニュー画面が表示される。前者は着信メロディーデータを保存するフォルダに登録可能な総件数の上限（許容値）を設定変更する例、後者は画像データを保存するフォルダの登録件数の上限（許容値）を設定変更する例である。データベースＤＢの音楽データ、画像データの各データファイルのサイズは上限が決まっているので、以上のようにフォルダサイズの許容値を保存する音楽データや画像データの件数によって示すことができる。
【００２１】
また、”辞書データ拡張”を選択すると図５（ａ）のメニュー画面が表示され、設定されている辞書データフォルダの許容値Ａ１ＭＢ、現在の使用量ａＭＢ、許容値の変更メニュー項目”Ａ２ＭＢ”及び”Ａ３ＭＢ”が表示される。この例では、許容値はフォルダのサイズ（記憶容量）で示している。
【００２２】
また、特定のアプリケーションプログラムＡに関する”プログラムバージョンアップ”を選択すると、図５（ｂ）のメニュー画面が表示され、設定されているプログラムファイルの許容値Ｂ１ＭＢ、現在保存しているアプリケーションプログラムファイルのサイズｂＭＢ、許容値の変更メニュー項目”Ｂ２ＭＢ”及び”Ｂ３ＭＢ”が表示される。これらはデータファイルのファイルサイズの上限（許容値）を設定変更するものでる。
【００２３】
以上のようなメニュー画面の選択によって、記憶領域をカスタマイズするがメモリ３に割り振られる各種データの許容値の割合は制御部２によって所定の表示形式で表示する。図６は表示形式の例で、図６の（ａ）はカスタマイズ前、（ｂ）はカスタマイズ後の各種データに割り振られた記憶領域に占める許容値の割合を円グラフで表示部５に表示するものである。本例では特定のアプリケーションプログラムＡのバージョンアップを目的として使用者の操作によってアプリケーションプログラムＡの許容値を増大する選択がされた場合に、制御部２は現在設定されているこのプログラムの許容されたファイルサイズの上限（許容値）にメモリ３の未使用領域の面積（記憶容量）をｎ等分（ｎ＝１，２、）した値を加算したｎ＝１、ｎ＝２の場合の２つの値を設定変更可能な許容値の選択肢として決定する。（ｂ）は例えばｎ＝２の場合を使用者が選択したものであって、斜線部分がアプリケーションプログラム用に拡張した領域を示している。本例では説明上、電話帳データファイル用に許容された記憶領域に未使用領域が残っていたとして、電話帳データファイルの未使用領域の一部がアプリケーションプログラムＡの記憶領域に割り振られたことを示している。
【００２４】
すなわち、許容値を設定変更するために選択されたデータフォルダあるいはデータファイル以外のもの、すなわち本例の場合には電話帳データファイル、受信メールボックス（フォルダ形式）、画像のデータフォルダ、文書のデータフォルダ、といったアプリケーションプログラムＡ以外の各種データの各未使用領域は予め監視されているので、これら各未使用領域の全領域もしくは一部の領域をｎ等分（ｎ＝１，２）してアプリケーションプログラムＡの設定変更可能な許容値の選択肢Ｂ２ＭＢ，Ｂ３ＭＢとして決定することができる。
【００２５】
このように決定して、選択されたデータフォルダあるいはデータファイル以外のデータについても設定されている許容値を設定変更することになる。したがって、制御部２は、上述した変更メニュー画面にて選択肢から一つを選択されると、その選択された選択肢による許容値の変更に対応して設定変更されることとなる他のデータフォルダやデータファイルの名称と設定変更されるそれぞれの許容値を使用者に確認させることを目的として表示部５に表示する。そして使用者が了解する旨の確定入力を操作部４を用いて行うことによって、制御部２は選択された選択肢に応じて各許容値を設定変更する。
【００２６】
なお、未使用領域の全領域もしくは一部領域のどちらを使って選択枝を求めるかの設定、全未使用領域の中の一部領域を使うことに限定する場合に各種データから一つあるいは複数を選択し、選択したデータにおける未使用領域を使って選択肢を求めるといった設定、未使用領域をｎ等分して生じる端数の扱い方並びに表示のし方の設定、さらには未使用領域をｎ等分して選択肢を求めるのではなく例えば５０件単位とか、例えば所定１００Ｍｂ単位と言った所定件数間隔，所定データ量間隔で選択枝を求めるといった設定など、選択肢の求め方並びに表示のし方などは使用者が予め設定することができる。また、これらの設定においては、データ毎に個々に設定することができる。
【００２７】
また、メモリ３に未使用領域が無くなってしまった場合及びカスタマイズ困難な使用状況（例えば、総未使用領域が全領域の３%以下）になってしまった場合には、カスタマイズメニュー画面から各種データ個々の変更メニュー画面に切替わった際に、その変更メニュー画面にカスタマイズ不可能の旨を表示する。そのような場合、使用者は、登録してあるデータフォルダや個々のデータファイルのうち不要となっているものの全部或いは任意のものを削除することで未使用領域を増加さればよい。そして未使用領域を増加させた後、再びカスタマイズの操作を行えばよい。
【００２８】
以上説明した記憶領域の拡張並びに削減を行うために、本発明ではメモリの物理アドレス毎に識別子を対応させたアドレス管理テーブルをメモリ３に別途記憶させている。図７（ａ）はアドレス管理テーブルの実施例であり、各アドレスはプログラム等の登録データと共に識別子によって、識別される。識別子は図７（ｂ）に示す識別子管理テーブルで管理されており、識別子ａで識別される物理アドレスは”アプリケーションプログラムＡ”の記憶領域である。同様に識別子ｂで識別される物理アドレスは”電話帳”の記憶領域であり、識別子ｃは”受信メール”、識別子ｄは”辞書”、識別子ｅは着信メロディー”、識別子ｆは”画像”のそれぞれ記憶領域である。
【００２９】
制御部２は、上述の許容値の設定変更においては内蔵ＲＡＭに許容値を保存するとともに、保存した許容値に対応するデータフォルダまたはデータファイルの識別子を設定変更する新たな許容値に基いて物理アドレスに識別子を割り振る。すなわち、工場出荷時においてはアドレス管理テーブル及び識別子管理テーブルは初期設定されているが、ユーザーにおいて前述の操作により許容値の設定変更をするとアドレス管理テーブルにおいて物理アドレスに割り振られていた識別子が許容値に基いて書替えられる。したがって、ユーザーによって、任意に記憶領域のカスタマイズが可能となる。
【００３０】
なお、特定の記憶領域を拡張する例としてアプリケーションプログラムＡ及び電話帳データを例示したが、本例によればデータフォルダまたはデータファイルとして管理され、書替え可能なメモリに記憶されているあらゆるデータは同様にカスタマイズが可能である。
【００３１】
以上のように、携帯端末装置の使用形態に応じて記憶領域を容易にカスタマイズできるので、記憶領域の有効利用が容易に可能となる。また、携帯電話機を例に説明したが、その他にはＰＤＡなど、さらに携帯可能なノートパソコンなどにも本発明を使用することができ、携帯電話機と同様に記憶領域の有効利用が容易に可能となる。
【図面の簡単な説明】
【００３２】
【図１】本発明の携帯端末装置を利用するシステム環境の一例である携帯電話システムを示すシステム構成図である。
【図２】本発明の実施形態である携帯電話機のブロック図である。
【図３】本発明の実施形態であって、（ａ）乃至（ｃ）は電話帳の記憶領域をカスタマイズする場合の、操作メニュー画面の遷移図である。
【図４】（ａ）（ｂ）（ｃ）はそれぞれ本発明の実施形態であって、（ａ）は”受信メール登録件数変更”を選択した場合の、操作メニュー画面、（ｂ）は”着信メロディー登録件数変更”を選択した場合の、操作メニュー画面、（ｃ）は”画像データ登録件数変更” を選択した場合の、操作メニュー画面である。
【図５】（ａ）（ｂ）はそれぞれ本発明の実施形態であって、（ａ）は”辞書データファイル拡張” を選択した場合の、操作メニュー画面、（ｂ）は”プログラムバージョンアップ” を選択した場合の、操作メニュー画面である。
【図６】本発明の実施形態であって、（ａ）はアプリケーションプログラム記憶領域の拡張前、（ｂ）はアプリケーションプログラム記憶領域の拡張後を示す、記憶領域の使用状況を示す表示のための円グラフである。
【図７】本発明の実施形態であって、（ａ）は記憶領域のアドレス管理テーブル、（ｂ）はアドレスの識別子管理テーブルである。
【符号の説明】
【００３３】
ＭＳ  携帯電話機
ＢＳ  基地局
ＣＳ  制御局
ＷＳ  ウェブサーバ
ＤＢ  データベース
１  無線部
２  制御部
３  メモリ
４  操作部
５  表示部
６  スピーカ
【図１】
2005191742.tif 000003
【図２】
2005191742.tif 000004
【図３】
2005191742.tif 000005
【図４】
2005191742.tif 000006
【図５】
2005191742.tif 000007
【図６】
2005191742.tif 000008
【図７】
2005191742.tif 000009